(57)【要約】【課題】ルーバー羽根の前垂れを防止するとともに、改造時のルーバー羽根の交換も容易に行うことができる平型ショーケースにおけるルーバーの支持構造を提供する。【解決手段】平型ショーケースの背面側上部に設けられた冷気吹出口１１の開口天板１２に固定される固定片３２と、各ルーバー羽根２２を挿入する複数の羽根挿入溝３６を介して前方に向けて突出した複数のルーバー羽根支持片３３とを有するルーバー支持具３１を、前記ショーケースの冷気吹出口１１に設ける。前記羽根挿入溝３６に、各ルーバー羽根２２を挿入することにより、前記ルーバー羽根支持片３３によって各ルーバー羽根２２を所定間隔に支持する。【選択図】    図１
2004251595.tif 000002
【特許請求の範囲】
【請求項１】
断熱壁で構成した箱状体の上面に開口を有し、背面側上部に冷気吹出口を、前面側上部に冷気吸込口をそれぞれ有し、前記冷気吹出口に水平方向に設けた複数のルーバー羽根からなるルーバーを備えた平型ショーケースにおける前記ルーバーの支持構造であって、前記冷気吹出口の開口天板に固定される固定片と、前記ルーバー羽根を挿入する複数の羽根挿入溝を介して前方に向けて突出した複数のルーバー羽根支持片とを有するルーバー支持具を前記冷気吹出口に設け、前記羽根挿入溝に各ルーバー羽根を挿入することにより、前記ルーバー羽根支持片によって各ルーバー羽根を支持するように形成したことを特徴とする平型ショーケースにおけるルーバーの支持構造。
【請求項２】
前記ルーバー羽根は、冷気吹出方向に平行な水平方向の吹出ガイド片と、該吹出ガイド片の後部から下方に屈曲して前記平型ショーケースの背面に設けられた冷気ダクト方向に向いた後部ガイド片とを有し、該後部ガイド片には、前記ルーバー羽根支持片を挿通するためのスリットを有していることを特徴とする請求項１記載の平型ショーケースにおけるルーバーの支持構造。
【発明の詳細な説明】
【０００１】
【発明の属する技術分野】
本発明は、冷凍冷蔵商品等を陳列する平型ショーケースにおける冷気吹出口ルーバーの支持構造に関し、詳しくは、ケース背面の冷気吹出口に設けられているルーバーのルーバー羽根を所定間隔で確実に支持することのできる支持構造に関する。
【０００２】
【従来の技術】
スーパーマーケット等において広く使用されている平型ショーケースは、断熱壁で構成した箱状体の上面に開口を有するショーケース本体と、このショーケース本体の下部に設けられた支持用の架台とにより形成されており、架台の内部には、圧縮機等の冷凍機構成機器が収納されている。また、ショーケース本体の内部には、冷却器や循環ファンが設けられており、ショーケースの背面側上部には冷気吹出口が設けられ、前面側には冷気吸込口が設けられている（例えば、特許文献１参照）。
【０００３】
このような平型ショーケースにおいて、近年は、庫内からの商品の取り出しやすさを重視したり、商品ロスを防ぐために、庫内背面壁を前方に移動させて庫内の奥行きを標準規格の寸法より狭くする改造を行うことが増加している。そして、このような改造で奥行き寸法を狭くするために庫内背面壁を前方に移動させた場合には、冷気吹出口の位置が後方にずれてしまうため、標準のルーバー羽根を、前後方向の寸法（羽根の幅寸法）を大きくしたルーバー羽根に交換することが行われている。しかし、ルーバーの全長が長くなると、ルーバー羽根が垂れ下がってしまう前垂れ現象が起こりやすくなる。そのため本出願人は、図５の断面図に示すように、各ルーバー羽根１０１，１０１間にスペーサー１０２，１０２をそれぞれ挟み込んだ状態で、これらを貫通するタッピングビス１０３等を下側からねじ込んで冷気吹出口の天板１０４に固定し、前垂れ現象を防止するようにしている。
【０００４】
【特許文献１】
特開２００２−１８８８８０公報（第４頁、図１）
【０００５】
【発明が解決しようとする課題】
上記固定手段であると、ルーバー羽根１０１を交換するときには、ルーバー下方からタッピングビス１０３を取り外す必要があるが、このときに周辺のかなりの点数の部品まで外さないと、この作業ができなかった。また、スペーサー１０２の高さに複数種類があるため、スペーサー１０２の再利用も困難であった。
【０００６】
そこで本発明は、ルーバー羽根１０１の前垂れ（中央付近の湾曲垂れ下がり）を防止するとともに、改造時のルーバー羽根１０１の交換も容易に行うことができる平型ショーケースにおけるルーバーの支持構造を提供することを目的としている。
【０００７】
【課題を解決するための手段】
上記課題を解決するため、本発明の平型ショーケースにおけるルーバーの支持構造は、断熱壁で構成した箱状体の上面に開口を有し、背面側上部に冷気吹出口を、前面側上部に冷気吸込口をそれぞれ有し、前記冷気吹出口に水平方向に設けた複数のルーバー羽根からなるルーバーを備えた平型ショーケースにおける前記ルーバーの支持構造であって、前記冷気吹出口の開口天板に固定される固定片と、前記ルーバー羽根を挿入する複数の羽根挿入溝を介して前方に向けて突出した複数のルーバー羽根支持片とを有するルーバー支持具を前記冷気吹出口に設け、前記羽根挿入溝に各ルーバー羽根を挿入することにより、前記ルーバー羽根支持片によって各ルーバー羽根を支持するように形成したことを特徴としている。
また、本発明の平型ショーケースにおけるルーバーの支持構造は、前記ルーバー羽根は、冷気吹出方向に平行な水平方向の吹出ガイド片と、該吹出ガイド片の後部から下方に屈曲して前記平型ショーケースの背面に設けられた冷気ダクト方向に向いた後部ガイド片とを有し、該後部ガイド片には、前記ルーバー羽根支持片を挿通するためのスリットを有していることを特徴としている。
【０００８】
【発明の実施の形態】
図１は本発明の平型ショーケースにおけるルーバーの支持構造の一形態例を示す断面図、図２は分解斜視図、図３はルーバー支持具の展開図、図４はルーバー羽根の平面図である。なお、本発明の対象となる平型ショーケースは、ルーバーの支持構造を除いて従来から広く使用されている平型ショーケースと同じ構造を採用することができるので、その全体構成の図示及び説明は省略する。
【０００９】
平型ショーケースの背面側上部に設けられている冷気吹出口１１は、図１に示すように、開口天板１２と、庫内背面壁１３の上縁１４との間に、ショーケース幅方向略全長にわたって設けられている。庫内背面壁１３の背面側には、冷却器で冷却された冷気が流れる冷気ダクト１５が設けられている。
ルーバー２１は、図２に詳細を示すように、３枚のルーバー羽根２２を所定間隔で積層したものであって、各ルーバー羽根２２は、庫内に向いた水平方向の吹出ガイド片２３と、その後部から下方に２段階に屈曲して前記冷気ダクト１５方向に向いた後部ガイド片２４とで形成されている。また、各ルーバー羽根２２は、その積層位置に応じた形状に折り曲げ形成されており、冷気ダクト１５からの冷気をショーケース前面に向けて均等に吹き出すようにしている。
各ルーバー羽根２２を所定間隔に保持した状態でルーバー２１を支持するためのルーバー支持具３１は、前記開口天板１２にビス止め固定される固定片３２と、前記ルーバー羽根２２を所定間隔に保持するためのルーバー羽根支持片３３と、固定片３２とルーバー羽根支持片３３とを連結する連結片３４とにより形成されている。
【００１０】
図３に示すように、このルーバー支持具３１は、１枚の金属板を所定形状に打ち抜き、折り曲げ線３５で直角に折り曲げることにより形成したものであって、各ルーバー羽根支持片３３の間には、ルーバー羽根２２を挿入するための羽根挿入溝３６が形成されており、固定片３２にはビス孔３７が設けられている。また、前記ルーバー羽根支持片３３の長さは、標準規格におけるルーバー羽根の幅寸法よりも短く、かつ、改造後に取り付ける幅寸法の大きなルーバー羽根２２も確実に支持できる長さに設定されている。さらに、前記羽根挿入溝３６は、入口部及び奥部の上下寸法をルーバー羽根２２の厚さよりも大きくするとともに、入口部に対して奥部を下方に位置させている。これにより、羽根挿入溝３６へのルーバー羽根２２の挿入を容易に行えるとともに、挿入後は、羽根挿入溝３６の入口部でルーバー羽根前方下面を、奥部でルーバー羽根後方上面をそれぞれ保持してがたつきが発生しないようにしている。
【００１１】
ルーバー支持具３１は、冷気吹出口１１の幅方向に複数箇所、例えば両端部近傍と、中間部２箇所とに等間隔で取り付けられている。また、図４の平面図に示すように、ルーバー羽根２２の後部ガイド片２４には、このルーバー支持具３１の取付位置に対応させて前記ルーバー羽根支持片３３を挿通させるためのスリット２５が設けられている。
【００１２】
冷気吹出口１１へのルーバー２１の取り付けは、ルーバー支持具３１の固定片３２を開口天板１２にビス止めした後、上方のルーバー羽根２２から順に、前記スリット２５に前記ルーバー羽根支持片３３を挿入しながら、吹出ガイド片２３を前記羽根挿入溝３６に挿入するようにしてルーバー羽根２２とルーバー支持具３１とを組み付けていくことにより行われる。また、ルーバー羽根２２の両端部は、従来と同様に、ショーケース背面板１６に取り付けられた固定金具１７に前方からビス止めされて固定される。最後に、庫内背面壁１３を組み込むことによってルーバー２１を備えた冷気吹出口１１部分が完成する。なお、最下段のルーバー羽根２２には、必要に応じて温度センサー２６を取り付けておくことができる。
【００１３】
庫内の奥行き寸法を狭くするために庫内背面壁１３を前方に移動させ、ルーバー羽根２２を幅寸法の大きなものに交換する際には、庫内背面壁１３を取り外し、従来と同様に固定金具１７からビスを抜いた後、各ルーバー羽根２２をルーバー支持具３１から前方に引き抜くことにより、標準規格寸法のルーバー２１を冷気吹出口１１から取り外すことができる。
【００１４】
また、幅寸法の大きなルーバー羽根２２の取り付けは、前記同様に、冷気吹出口１１の前方から各ルーバー羽根２２をルーバー支持具３１に組み付けていき、両端を固定金具１７に前方からビス止め固定するだけで行うことができる。
したがって、従来のように、ルーバー下方からタッピングビスを取り外したり、スペーサーを組み込みながらタッピングビスを締め付けていく作業が無くなるので、作業性が向上するとともに、従来のタッピングビスの締め付け具合によるルーバー羽根２２の通り狂いも発生せず、ルーバー羽根支持片３３によって通りも確実に出すことができ、外観にも優れたルーバー２１が得られる。
【００１５】
【発明の効果】
以上説明したように、本発明の平型ショーケースにおけるルーバーの支持構造は、ルーバー羽根の組み付け、取り外しを容易に行うことができ、改造時のルーバー羽根の交換も容易に行うことができる。
また、ルーバー羽根をルーバー羽根支持片で所定間隔に保持するので、通りも確実に出すことができ、外観にも優れたルーバーが得られる。
【図面の簡単な説明】
【図１】本発明の平型ショーケースにおけるルーバーの支持構造の一形態例を示す断面図である。
【図２】同じく分解斜視図である。
【図３】ルーバー支持具の展開図である。
【図４】ルーバー羽根の平面図である。
【図５】従来のルーバーの支持構造の一例を示す断面図である。
【符号の説明】
１１  冷気吹出口
１２  開口天板
１３  庫内背面壁
１４  上縁
１５  冷気ダクト
１６  ショーケース背面板
１７  固定金具
２１  ルーバー
２２  ルーバー羽根
２３  吹出ガイド片
２４  後部ガイド片
２５  スリット
３１  ルーバー支持具
３２  固定片
３３  ルーバー羽根支持片
３４  連結片
３５  折り曲げ線
３６  羽根挿入溝
３７  ビス孔
【図１】
2004251595.tif 000003
【図２】
2004251595.tif 000004
【図３】
2004251595.tif 000005
【図４】
2004251595.tif 000006
【図５】
2004251595.tif 000007